(57)【特許請求の範囲】
【請求項１】
設置面へ据えて物置・仮設ハウス等を支持させるブロックであって、このブロックは、合成樹脂により中空構造に形成されていて、中空部に複数の補強リブを適当な間隔で上下方向に配置され、上面と下面にはブロックを重ねると嵌まり合う凸部と凹部を形成されて、凸部は支持する面との間に充分な通気間隙ができるように配設されていることを特徴とする物置・仮設ハウス等の支持ブロック。
【請求項２】
ブロックの少なくとも上面は、支持する面と摩擦接触する材料により形成されていることを特徴とする請求項１記載の物置・仮設ハウス等の支持ブロック。
【発明の詳細な説明】
【０００１】
【発明の属する技術分野】
本発明は、物置・仮設ハウス、その他を簡単に設置して支持させることができる支持ブロックに関する。
【０００２】
【従来の技術】
従来、物置・仮設ハウス、その他を設置して支持させるには、専らコンクリートブロックが使用されている。
【０００３】
しかしながら、コンクリートブロックは、重いため作業が大変であって、輸送費は高くつき、また、重ね積みが崩れ易くて、しかも、上面に細かい凹凸があるが、これでは通気が不十分であるため、当接面との間に雨水が入り込んだ場合、水切れが悪くて、物置や仮設ハウス等の土台などに腐食や錆を発生させ易い問題点がある。
【０００４】
【発明が解決しようとする課題】
本発明はこの現状に鑑みなされたもので、堅牢で、軽くて、重ね積みしても崩れず、水切りも良い物置・仮設ハウス等の支持ブロックを提供することを課題とする。
【０００５】
【課題を解決するための手段】
前記課題を解決するため本発明に係る物置・仮設ハウス等の支持ブロックは、下記の構成を採用することを特徴とする。
【０００６】
（１）設置面へ据えて物置・仮設ハウス等を支持させるブロックであって、このブロックは、合成樹脂により中空構造に形成されていて、中空部に複数の補強リブを適当な間隔で上下の方向に配置され、上面と下面にブロックを重ねると嵌まり合う凸部と凹部を形成されて、凸部は当接面との間に充分な通気間隙ができるように配設されている。
【０００７】
（２）ブロックの少なくとも上面は、支持する面と摩擦接触する材料により形成されている。
【０００８】
【発明の実施の形態】
以下に本発明に係る物品支持ブロックの実施形態を図面に基いて説明する。
【０００９】
図１、図２において符号１は、本発明に係る物置・仮設ハウス等の支持ブロックを示すものである。この支持ブロック１は、適当な高さを有する正方形か、矩形（多角形でも可）の中空体に合成樹脂の射出成形により形成されていて、中空部２は前方及び後方に開口している。
【００１０】
ブロック１の中空部２には、ブロック１の上壁と下壁とを接合する複数の補強リブ３が適当な間隔で前後の方向に設けられ、また、前後方向の中間部には上壁と下壁とを接合するように補強リブ４が左右の方向に設けられている。
【００１１】
ブロック１の上面には凸部５が、下面には凹部６が、複数のブロック１を図７（ａ）、図７（ｂ）に示すように積み重ねたとき、上側のブロツク１の凹部６へ、下側のブロック１の凸部５が嵌り合うように形成してある。
【００１２】
前記凸部５は、図１においては、筋状のものが４つのブロックに分けて並設され、各筋状の凸部５の間に通気間隙７が形成されている。しかし、凸部５は、図３（ａ）に示すような方形か、図３（ｂ）に示すような円形か、あるいは、その他の形状のものを、通気間隙６が存在するように配設してもよい。
【００１３】
また、凸部５は、その上面を物置・仮設ハウス等の土台へ当接させる。従って、少なくともこの凸部５の上面、あるいは全体を、金属製の土台等が乗せられた場合でも、凸部５の上を滑り動くことがないようにしなければならない。このため、凸部５は図５aに示すように連結片８により連結した構成として、この構成のものを、２色成形でブロック１と一体成形するか、連結片８によりブロック１の表面へ接着もしくは溶着するか、図３ｂに示すように凸部５を個別成形して、ブロック１の上面に形成した孔９へ嵌入固定する。
【００１４】
凹部６は、ブロック１の下面の周囲を除く部分を図２に示すように凹ませた構成として、この凹部６へ下側のブロック１の上面に設けた凸部５を係合させると、外側に位置する凸部５が凹部６の外縁に係合して、図７（ａ）に示す揃え積みや、図７（ｂ）に示す千鳥積み、その他、においても、積み重ねたブロック１を位置合せすると共に、ずれの防止を行う。
【００１５】
ブロック１は、押出成形によっても成形することができる。この場合は、図５に示すように補強リブを前後方向のリブ３だけとし、全体の断面形状を同一にして、この断面形状の連続成形品を成形する。そして、連続成形品を必要な長さに切り分けて、製品のブロック１とするものであり、もし、強度が不十分な場合には、図６に示すように垂直の補強リブ３の間に筋交状の補強リブ１０を配置するようにする。
【００１６】
押出成形のブロック１は、上面の凸部５及び下面の凹部６が、前端から後端まで同一形状の一連したものとなる。そして、図５、図６においては、下面の凹部６が上面の凸部５に対応する多数の溝状に形成されている。しかし、凹部６は図２に示す通り、両側の縁部の間が全体的に凹んだ構成とすることもできる。
【００１７】
前記実施形態に示す物置・仮設ハウス等の支持ブロック１は、合成樹脂により中空構造に形成して、中空部２に補強リブ３を設けてあるから、コンクリートブロックと同等の強度を有して、重量は、取り扱いや設置作業が容易にできるように軽く、上面には凸部５が、下面には凹部６があって、凸部５と凹部６とをブロックを積み重ねる際に嵌め合わせると、上下のブロックが確実に位置合せされて、積み重ねのずれや崩れを生ずることがない。
【００１８】
また、ブロック１の上面に設けられる凸部５は、通気間隙７を有するように配置される。従って、ブロック１と土台等との間に雨水等が侵入しても、通気間隙７により排出され易くて、残存水分も通気により揮散され易い。このため、ブロック１に支持される土台等の腐食や錆の防止が効果的に行われる。
【００１９】
更に、このブロック１は、少なくとも上面を、支持する面と摩擦接触する材料により形成したから、金属製の物置・仮設ハウス等を支持させても、摩擦力により物置・仮設ハウス等の滑りが止められて、これらをブロック上に安定させる作用が確実に行われる。
【００２０】
【発明の効果】
請求項１の効果  コンクリートブロックと同等の強度を有して、しかも、軽いため、物置・仮設ハウス等を充分な強度をもって確実に設置することが、容易に経済的にできて、しかも、ブロックと支持面との間に雨水等が侵入しても水切れが良いから、支持される部材の腐食や錆の防止が効果的に行える。
【００２１】
請求項２の効果  物置・仮設ハウス等が滑り易い材料等で形成されていても、摩擦力により物置・仮設ハウス等の滑り動きを防止して定位置に確実に安定させることができる。
【図面の簡単な説明】
【図１】本発明に係る物置・仮設ハウス等の支持ブロックの実施形態を示す斜視図である。
【図２】同上支持ブロックを左右方向の補強リブの手前で縦断した正面図である。
【図３】（ａ）（ｂ）は、同上支持ブロックの上面に形成された凸部の形状と配置の変形例を示す一部分の平面図である。
【図４】（ａ）（ｂ）は、同上凸部を摩擦力を発生する材料で形成して取付けた例を示す一部分の縦断正面図部ある。
【図５】支持ブロックの他の実施形態を示す斜視図である。
【図６】同上支持ブロックの正面図である。
【図７】（ａ）（ｂ）は支持ブロックの積み重ね状態を示す縦断正面図である。
【符号の説明】
１  支持ブロック
２  中空部
３  補強リブ
５  凸部
６  凹部
７  通気間隙
【図１】
0004555424.tif 000002
【図２】
0004555424.tif 000003
【図３】
0004555424.tif 000004
【図４】
0004555424.tif 000005
【図５】
0004555424.tif 000006
【図６】
0004555424.tif 000007
【図７】
0004555424.tif 000008